(57)【要約】【課題】電波の送信性能及び受信性能を確保することができる操作装置を提供する。【解決手段】操作装置１０は、照明器具を制御するためにユーザが操作する操作装置１０であって、少なくとも一部が構造物に埋め込まれた状態で設置される本体部５０と、ユーザに操作されて動く、本体部５０から突出した操作部６０と、外部機器との間で、制御に用いられる信号の送信または受信を行うアンテナを含む無線モジュール７０とを備え、無線モジュール７０は、操作部６０の内部に配置される。【選択図】図６
2016134272.tif 000002
【特許請求の範囲】
【請求項１】
照明器具を制御するためにユーザが操作する操作装置であって、
少なくとも一部が構造物に埋め込まれた状態で設置される本体部と、
ユーザに操作されて動く、前記本体部から突出した操作部と、
外部機器との間で、前記制御に用いられる信号の送信または受信を行うアンテナとを備え、
前記アンテナは、前記操作部の内部に配置される
操作装置。
【請求項２】
前記アンテナは、少なくとも一部が前記構造物の表面よりも手前に配置される
請求項１に記載の操作装置。
【請求項３】
前記操作部は、樹脂製である
請求項１または２に記載の操作装置。
【請求項４】
前記アンテナは、前記信号の受信を行い、
前記操作装置は、さらに、前記アンテナを通じて取得した前記信号に応じて、前記照明器具を制御するための制御信号を出力する制御部を備える
請求項１〜３のいずれか１項に記載の操作装置。
【請求項５】
前記制御部は、さらに、前記操作部への操作に応じて前記制御信号を出力する
請求項４に記載の操作装置。
【請求項６】
前記本体部は、少なくとも一部が、前記構造物に埋め込まれたスイッチボックスに収容される
請求項１〜５のいずれか１項に記載の操作装置。
【請求項７】
前記スイッチボックスは、金属製であり、
前記アンテナは、前記スイッチボックスの外側に配置される
請求項６に記載の操作装置。
【請求項８】
前記本体部は、前記スイッチボックスに取り付けられる金属製の取付板に固定され、
前記アンテナは、前記取付板よりも手前に配置される
請求項６または７に記載の操作装置。
【請求項９】
前記操作部は、ユーザにプッシュ操作されて動く押しボタンである
請求項１〜８のいずれか１項に記載の操作装置。
【請求項１０】
前記操作部は、ユーザに操作されて回動するロータリースイッチである
請求項１〜８のいずれか１項に記載の操作装置。
【発明の詳細な説明】
【技術分野】
【０００１】
本発明は、照明器具を制御するための操作装置に関する。
【背景技術】
【０００２】
従来、照明器具を無線通信によって制御する技術が知られている。例えば、特許文献１には、無線通信及び手動操作を用いて照明器具の点灯制御を行う操作器（操作装置）を含む照明制御システムが開示されている。また、特許文献２には、着脱可能な無線アダプタと近接スイッチとを有するスイッチ装置が開示されている。
【先行技術文献】
【特許文献】
【０００３】
【特許文献１】特表２０００−５０４８９０号公報
【特許文献２】特開２００６−１３４８４２号公報
【発明の概要】
【発明が解決しようとする課題】
【０００４】
照明器具を無線通信によって制御する場合、無線通信に用いられる電波の送信性能及び受信性能を確保することが課題となる。
【０００５】
本発明は、電波の送信性能及び受信性能を確保することができる操作装置を提供する。
【課題を解決するための手段】
【０００６】
本発明の一態様に係る操作装置は、照明器具を制御するためにユーザが操作する操作装置であって、少なくとも一部が構造物に埋め込まれた状態で設置される本体部と、ユーザに操作されて動く、前記本体部から突出した操作部と、外部機器との間で、前記制御に用いられる信号の送信または受信を行うアンテナとを備え、前記アンテナは、前記操作部の内部に配置される。
【発明の効果】
【０００７】
本発明の一態様に係る操作装置によれば、電波の送信性能及び受信性能を確保することができる。
【図面の簡単な説明】
【０００８】
【図１】図１は、実施の形態１に係る操作装置を含む、照明システムの構成を示す模式図である。
【図２】図２は、実施の形態１に係る操作装置の分解斜視図である。
【図３】図３は、実施の形態１に係る操作装置の正面図（上面図）である。
【図４】図４は、実施の形態１に係る操作装置の、化粧カバーを外した場合の正面図（上面図）である。
【図５】図５は、実施の形態１に係る操作装置の背面図（下面図）である。
【図６】図６は、実施の形態１に係る操作装置の断面図（図３のＶＩ−ＶＩ線で切断した断面図）である。
【図７】図７は、その他の態様の操作部を備える操作装置の外観図である。
【発明を実施するための形態】
【０００９】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本発明を十分に理解するために添付図面および以下の説明を提供するのであって、これらによって特許請求の範囲に記載の主題を限定することを意図するものではない。
【００１１】
なお、各図は模式図であり、必ずしも厳密に図示されたものではない。また、各図において、実質的に同一の構成に対しては同一の符号を付しており、重複する説明は省略または簡略化される場合がある。
【００１２】
（実施の形態１）
［照明システムの構成］
まず、実施の形態１に係る操作装置を含む、照明システムについて説明する。図１は、実施の形態１に係る操作装置を含む、照明システムの構成を示す模式図である。
【００１３】
図１に示される照明システム１００は、操作装置１０と、マスター操作装置１２と、照明器具１１と、携帯端末１３とを備える。
【００１４】
照明システム１００は、一般家庭（住宅）、店舗、または事務所等に用いられ、１つまたは複数の照明器具１１の調光率等を、現在時刻や場面応じて制御するための照明システムである。照明システム１００は、例えば、省エネ用途または演出用途でも用いられる。
【００１５】
操作装置１０及びマスター操作装置１２は、住宅等の壁や制御盤に設置され、照明器具１１の調光率やタイムスケジュールなどの制御を行う照明用のコントローラである。
【００１６】
操作装置１０は、照明器具１１を制御するためにユーザが操作する操作装置である。操作装置１０は、少なくとも一部が構造物に埋め込まれる。図１の例では、操作装置１０は、一部が住宅等の壁（構造物の一例）に埋め込まれた状態で当該壁に取り付けられる、いわゆる壁スイッチ（壁付け操作器）である。ユーザは、操作装置１０が備える操作部６０（押しボタン）の押下により照明器具の点灯及び消灯を制御することができる。
【００１７】
また、操作装置１０は、マスター操作装置１２の子機としても機能する。操作装置１０は、具体的には、無線通信用のアンテナを含む無線モジュールを内蔵しており、携帯端末１３から無線送信される信号の受信部としても機能する。
【００１８】
操作装置１０は、携帯端末１３から信号を受信すると、受信した信号に応じて制御信号を出力する。この制御信号は、操作装置１０とマスター操作装置１２とを接続する信号線１６を介してマスター操作装置１２に出力される。
【００１９】
また、操作装置１０は、マスター操作装置１２から出力される照明器具１１の状態（現在の調光率等）を示す信号を受信し、携帯端末１３に送信する。この送信にも、上述の無線モジュールが用いられる。
【００２０】
なお、マスター操作装置１２から操作装置１０への電力供給は、操作装置１０とマスター操作装置１２とを接続する電源線１７を通じて行われる。
【００２１】
マスター操作装置１２は、信号線１６を介して得られる制御信号に基づいて、照明制御信号（例えば、調光信号）を出力することにより、照明器具１１の制御（点灯、消灯、調光または調色）を行う。また、マスター操作装置１２は、照明器具１１の状態を示す信号を操作装置１０に送信する。
【００２２】
マスター操作装置１２は、負荷出力線１４及び制御線１５を介して照明器具１１と接続されている。負荷出力線１４は、マスター操作装置１２から照明器具１１への電力供給に用いられる配線であり、制御線１５は、上述の制御信号及び照明器具１１の状態を示す信号の伝送に用いられる配線である。
【００２３】
なお、ユーザは、マスター操作装置１２に設けられたＯＮ／ＯＦＦボタンなどのユーザインターフェースを手動操作することによっても、照明器具１１の制御（点灯、消灯、調光または調色）を行うことができる。
【００２４】
また、図１では、１つのマスター操作装置１２に対して１つの照明器具１１が接続されているが、１つのマスター操作装置１２に対して照明器具１１が複数接続されてもよい。
【００２５】
携帯端末１３は、操作装置１０との間で無線通信を用いて信号を送受信する端末であり、例えば、スマートフォン、タブレット端末、ＰＤＡ、または、専用のリモコンなどである。なお、携帯端末１３は、具体的には、ｂｌｕｅｔｏｏｔｈ（登録商標）や、無線ＬＡＮ（例えば、Ｗｉ−Ｆｉ（登録商標））などの通信規格に対応した通信部を有し、当該通信部を用いて操作装置１０との間で無線通信により信号を送受信する。なお、無線通信に用いられる通信規格は特に限定されるものではない。
【００２６】
また、実施の形態１では、携帯端末１３は、表示部１３ａ（表示画面）を有し、表示部１３ａには、上記照明器具１１の状態を示す信号に応じた画像が表示される。
【００２７】
照明器具１１は、室内を照明する照明器具であり、マスター操作装置１２によって制御される。照明器具１１の光源としては、ＬＥＤが用いられる。また、実施の形態１では、照明器具１１は、調色機能に対応しており、照明器具１１には、発光色が異なる少なくとも２種類のＬＥＤが用いられている。
【００２８】
なお、照明器具１１は、ＬＥＤが用いられた構成に限定されるものではない。例えば、照明器具１１には、光源として、半導体レーザ等の半導体発光素子、または、有機ＥＬ（Ｅｌｅｃｔｒｏ  Ｌｕｍｉｎｅｓｃｅｎｃｅ）もしくは無機ＥＬ等の固体発光素子が用いられてもよい。また、照明器具１１には、光源として蛍光灯が用いられてもよい。
【００２９】
以上説明したように、照明システム１００を使用するユーザは、照明器具１１を点灯または消灯させたい場合には、携帯端末１３、操作装置１０の操作部、及びマスター操作装置１２のユーザインターフェースのいずれかを操作すればよい。また、ユーザは、照明器具１１の調光または調色を行いたい場合、携帯端末１３、及び、マスター操作装置１２のユーザインターフェースのいずれかを操作すればよい。
【００３０】
［操作装置］
次に、操作装置１０の詳細な構成について、主として図２を用い、適宜図３〜図６を参照しながら説明する。図２は、操作装置１０の分解斜視図である。図３は、操作装置１０の正面図（上面図）であり、図４は、操作装置１０の化粧カバーを外した場合の正面図（上面図）である。図５は、操作装置１０の背面図（下面図）であり、図６は、操作装置１０の断面図（図３のＶＩ−ＶＩ線で切断した断面図）である。
【００３１】
なお、以下の説明では、操作装置１０を壁に取り付けた場合の室内側（図中のＺ軸＋側）を「上」、その反対側（Ｚ軸−側）を「下」と表現する。図中のＹ軸方向は、操作装置１０が壁に取り付けられた場合の鉛直方向に相当する。また、図２〜図６では、各部材を固定するために用いられるネジについては図示が省略されている。
【００３２】
操作装置１０は、照明器具１１を制御するためにユーザが操作する装置である。操作装置１０は、ＪＩＳ規格に適合した配線器具であり、汎用のスイッチボックス１９に取り付けられる。ここで、スイッチボックス１９は、図６に示されるように、住宅等の壁１８に設けられ、操作装置１０の一部を埋め込むための空間１９ａを形成する、樹脂製または金属製の筐体である。
【００３３】
図２に示されるように、操作装置１０は、化粧カバー２０と、補助枠３０と、取付板４０と、本体部５０（上側本体部５１及び下側本体部５２）と、操作部６０（上側操作部６１及び下側操作部６２）と、無線モジュール７０と、制御モジュール８０とを備える。
【００３４】
化粧カバー２０は、補助枠３０に取り付けられ、操作装置１０の内部構造を隠すための樹脂製のカバーである。化粧カバー２０を平面視した場合（Ｚ軸方向から見た場合）の外形は、矩形であり、化粧カバー２０の中央には、操作部６０を外部（室内）に露出させるための矩形の開口２１が設けられている。なお、化粧カバー２０は、当該化粧カバー２０の下側（内側）に設けられた係止爪（図示せず）が補助枠３０に引っ掛かることにより、補助枠３０に取り付けられる。
【００３５】
補助枠３０は、化粧カバー２０が取り付けられる樹脂製の枠体である。補助枠３０を平面視したときの外形は、化粧カバー２０の外形よりもわずかに小さい矩形であり、補助枠３０に化粧カバー２０が取り付けられると、図３に示されるように、補助枠３０は室内側から視認できない。
【００３６】
補助枠３０には、ネジ挿通孔３１が設けられ、ネジ挿通孔３１に挿通されたネジが取付板４０のネジ穴４１にネジ止めされることにより、取付板４０に固定される。図２に示されるように、ネジ挿通孔３１は、補助枠３０に２つ設けられる。
【００３７】
取付板４０は、操作装置１０を壁１８（スイッチボックス１９）に取り付けるための金属製の板状部材である。取付板４０の平面視した場合の外形は、角部分が切りかかれた略矩形であり、取付板４０には、主開口４４や、ネジ穴４１などの開口（穴）が設けられる。
【００３８】
取付板４０は、ネジ挿通孔４２に挿通されたネジがスイッチボックス１９に設けられたネジ穴（図示せず）にネジ止めされることによりスイッチボックス１９に固定される。ネジ挿通孔４２は、２つ設けられる。
【００３９】
また、取付板４０には、ネジ穴４３が設けられる。このネジ穴４３に上側本体部５１のネジ挿通孔５４に挿通されたネジがネジ止めされることにより、上側本体部５１は、取付板４０に固定される。このとき、上側本体部５１の一部は、主開口４４からＺ軸＋側に突出する。なお、ネジ穴４３は、４つ設けられる。
【００４０】
また、上述したように、取付板４０には、ネジ穴４１が設けられ、このネジ穴４１にネジ挿通孔３１に挿通されたネジがネジ止めされることにより、補助枠３０が取付板４０に取り付けられる。ネジ穴４１は、２つ設けられる。
【００４１】
本体部５０は、操作部６０の一部及び制御モジュール８０の一部を収容する略直方体の筐体であり、上側本体部５１と下側本体部５２とからなる。図６に示されるように、本体部５０は、スイッチボックス１９により壁１８に形成された空間１９ａに、一部が埋め込まれた状態で設置される。つまり、本体部５０は、少なくとも一部が構造物に埋め込まれた状態で設置される。
【００４２】
上側本体部５１と下側本体部５２とは、上側本体部５１に形成された係止爪が下側本体部５２に設けられた係止孔５６に挿入されることにより接続される。
【００４３】
上側本体部５１と下側本体部５２とが接続された状態において、上側本体部５１の中央に設けられた開口５３からは、操作部６０が上側に突出し、下側本体部５２の中央に設けられた開口５７からは、制御モジュール８０の端子部８１が下側に突出する。
【００４４】
また、上述したように、上側本体部５１には、ネジ挿通孔５４が設けられ、このネジ挿通孔５４に挿通されたネジがネジ穴４３にネジ止めされることにより、上側本体部５１は、取付板４０に取り付けられる。ネジ挿通孔５４は、上側本体部５１の四隅に一つずつ設けられる。
【００４５】
操作部６０は、ユーザに手動操作されて動く、本体部５０（上側本体部５１の開口５３）から突出した略直方体状の部材である。操作部６０は、いわゆる押しボタンであり、ユーザにプッシュ操作されることにより、Ｚ軸方向に動いて制御モジュール８０に設けられたスイッチ部８２を押す。これにより、ユーザは、照明器具１１の点灯及び消灯を制御することができる。
【００４６】
操作部６０は、樹脂製であり、上側操作部６１と下側操作部６２とからなる。上側操作部６１と下側操作部６２とは、下側操作部６２に設けられた係止爪６３が、上側操作部６１に設けられた係止孔（図示せず）に挿入されることにより接続される。係止爪６３と係止孔とは、２つずつ設けられる。なお、下側操作部６２に設けられた開口６４には、無線モジュール７０と制御モジュール８０とを電気的に接続するケーブル（図示せず）が挿通される。
【００４７】
以上説明した操作部６０は、アンテナを含む無線モジュール７０を収容する筐体としても機能することが特徴である。このような構成により得られる効果については後述する。
【００４８】
操作部６０に収容された無線モジュール７０は、下側操作部６２に設けられた２つの保持爪６５によって保持される。なお、操作部６０は、無線モジュール７０の筐体として機能するため、機械的強度と絶縁性（感電保護）を考慮して、適切な厚みに形成される。
【００４９】
無線モジュール７０は、アンテナ及びその周辺回路（変調回路及び復調回路など）を含むモジュールである。無線モジュール７０は、具体的には、基板上に形成されたパターンアンテナ及び当該基板に実装された回路部品（ＩＣ等も含む）がパッケージ化された通信モジュールである。
【００５０】
無線モジュール７０に含まれるアンテナは、外部機器の一例である携帯端末１３との間で、照明器具１１の制御に用いられる信号の送信または受信を行う。無線モジュール７０は、操作部６０に収容されるため、無線モジュール７０に含まれるアンテナは、操作部６０の内部に配置される。
【００５１】
なお、図示されないが、無線モジュール７０は、ケーブルによって制御モジュール８０と電気的に接続され、当該ケーブルによって制御モジュールとの間の信号の送受信が行われる。また、制御モジュール８０から無線モジュール７０への給電もこのケーブルを通じて行われる。
【００５２】
制御モジュール８０は、制御部の一例であって、照明器具１１を制御するための各種制御信号をマスター操作装置１２に送信する、パッケージ化された制御モジュールである。また、制御モジュール８０は、照明器具１１の状態（現在の調光率等）を示す信号等をマスター操作装置１２から受信する。
【００５３】
制御モジュール８０は、例えば、無線モジュール７０に含まれるアンテナを通じて取得した信号に応じて、照明器具１１を制御（点灯、消灯、調光、及び調色など）するための制御信号をマスター操作装置１２に出力する。
【００５４】
また、制御モジュール８０は、例えば、ユーザの操作部６０へのプッシュ操作に応じて制御信号をマスター操作装置１２に出力する。より詳細には、制御モジュール８０は、ユーザの操作部６０へのプッシュ操作によってスイッチ部８２が制御モジュール８０の内側に向けて押されることをトリガとして、点灯または消灯を指示する制御信号をマスター操作装置１２に出力する。なお、スイッチ部８２は、制御モジュール８０の上面に設けられた汎用の押しボタン型のスイッチである。
【００５５】
制御モジュール８０は、具体的には、プロセッサ、マイクロコンピュータ、または専用回路などの実行部、及び、無線モジュール７０またはマスター操作装置１２と通信するための通信部を含む。
【００５６】
制御モジュール８０の上面には、表示用ＬＥＤ８８及び登録ボタン８９などが設けられる。表示用ＬＥＤ８８及び登録ボタン８９のそれぞれは、上側本体部５１に設けられた開口を通じて視認可能である。つまり、図４に示されるように、化粧カバー２０を外した状態で視認可能である。
【００５７】
表示用ＬＥＤ８８は、無線モジュール７０が無線信号を受信した場合に一定期間点灯するＬＥＤである。表示用ＬＥＤ８８により、ユーザは、携帯端末１３から送信される電波が受信されたことを、視覚を通じて認識することができる。表示用ＬＥＤ８８は、化粧カバー２０に覆われているが、表示用ＬＥＤ８８の点灯中には、表示用ＬＥＤ８８からの光は、化粧カバー２０を通じて透けて見える。
【００５８】
登録ボタン８９は、携帯端末１３を操作装置１０に登録するためにユーザが操作するボタンである。登録ボタン８９は、操作装置１０の設置時にのみ使用されるため、操作装置１０の設置後においては、化粧カバー２０で覆われる。
【００５９】
また、制御モジュール８０の下面には、端子部８１が設けられる。図５に示されるように、端子部８１は、いわゆる端子台であって、制御モジュール８０の下面側に設けられた開口５７からスイッチボックス１９側に露出している。この端子部８１には、スイッチボックス１９側から引き出された信号線１６及び電源線１７が接続される。上述のように、信号線１６及び電源線１７は、マスター操作装置１２と接続されている。よって、制御モジュール８０は、端子部８１を介してマスター操作装置１２から給電を受けることができ、かつ、端子部８１を介してマスター操作装置１２と信号の送受信を行うことができる。
【００６０】
［特徴構成］
以下、操作装置１０の特徴構成について説明する。壁１８などの構造物に埋め込み設置される操作装置１０内にアンテナを配置する場合、アンテナ（電波）の送信性能及び受信性能の確保が課題となる。無線通信に用いられる電波強度は、金属などの導体、または、プラスチック樹脂などの誘電体等の影響を受ける。つまり、このような物質がアンテナの近傍に配置されることで、アンテナ性能が変化し、通信性能に影響を与えてしまう。
【００６１】
例えば、アンテナと、携帯端末１３との間に導体が配置されると、無線通信用の電波は当該導体により遮蔽されてしまう。また、アンテナと、携帯端末１３との間に誘電体が配置されると通信性能が低下する場合がある。
【００６２】
そこで、特許文献１のように、操作器の意匠面（化粧カバー）近傍に無線アンテナモジュールが配置された構成が提案されている。
【００６３】
しかしながら、特許文献１のような構成において、さらに、ユーザに操作される操作部が追加されると、操作部が樹脂製であっても、アンテナに樹脂（誘電体）を重ねる構造となり、通信性能が低下してしまう可能性がある。
【００６４】
ここで、操作装置１０では、無線モジュール７０が操作部６０の内部に配置されている。操作部６０は、操作装置１０のうちユーザに操作されて動く部位である。このため、図６に示されるように、操作部６０は、本体部５０から手前側（室内側、Ｚ軸＋側）に突出している。操作部６０内に無線モジュール７０が配置されることで、無線モジュール７０に含まれるアンテナの障害物を減らして、送信性能（電波の放射角）及び受信性能を向上させることができる。
【００６５】
また、操作装置１０では、無線モジュール７０と携帯端末１３との間には、樹脂製の操作部６０のみが介在する。言い換えれば、無線モジュール７０に含まれるアンテナを、絶縁性確保などのために最小限必要なもので覆い、アンテナの障害となるものを極力減らすように構成されている。これにより、アンテナの通信性能の低下を抑制することができる。
【００６６】
また、図６に示されるように、本体部５０は、少なくとも一部が、壁１８に埋め込まれたスイッチボックス１９に収容されるが、無線モジュール７０（アンテナ）は、スイッチボックス１９の外側に配置される。したがって、操作装置１０においては、スイッチボックス１９が金属製であっても、スイッチボックス１９が障害物となりにくい。これにより、スイッチボックス１９に起因するアンテナの通信性能の低下を抑制することができる。
【００６７】
また、スイッチボックス１９に取り付けられる取付板４０は、金属製であるが、無線モジュール７０は、取付板４０よりも手前に配置される。したがって、操作装置１０においては、取付板４０が障害物となりにくい。これにより、取付板４０に起因するアンテナの通信性能の低下を抑制することができる。なお、手前とは、操作部６０を操作するユーザから見て手前側（ユーザ側）であることを意味し、操作装置１０が室内に設けられる場合は室内側とも表現される。
【００６８】
さらに、図６に示されるように、無線モジュール７０は、壁１８の表面１８ａ（壁面、造営面）よりも手前に配置される。したがって、操作装置１０においては、壁１８が障害物となりにくい。これにより、壁１８に起因するアンテナの通信性能の低下を抑制することができる。
【００６９】
ところで、埋め込み型の操作装置においては、スイッチボックス１９により形成される空間１９ａのように限られたスペースに設置されることが一般的であることから、小型化が望まれる。しかしながら、例えば、特許文献２のスイッチ装置では、無線アダプタを取り付けるための接続部が必要であり、このような接続部を設けるために装置が大型化しやすい。つまり、装置の小型化が課題となる。
【００７０】
これに対し、操作装置１０のように、操作部６０の内部の空間を有効に利用して無線モジュール７０が配置されれば、本体部５０に無線モジュール７０を配置する必要がないため、本体部５０の小型化が図れる利点もある。
【００７１】
（その他の実施の形態）
以上のように、本出願において開示する技術の例示として、実施の形態１を説明した。しかしながら、本発明における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態をまとめて説明する。
【００７２】
上記実施の形態では、操作部６０は、ユーザにプッシュ操作されて動く押しボタンであるが、本発明は、その他の態様の操作部にも適用可能である。図７は、その他の態様の操作部を備える操作装置の外観図である。
【００７３】
図７に示される操作装置１０ａのように、操作部６０ａは、ユーザに操作されて回動するロータリースイッチであってもよい。このような操作部６０ａの内部に無線モジュールが配置される場合も、アンテナの通信性能の低下を抑制することができる。
【００７４】
なお、操作装置１０ａを操作するユーザは、操作部６０ａを回動することにより、照明器具１１の調光（点灯及び消灯を含む）を行うことができる。つまり、操作装置１０ａの制御モジュールは、ユーザの操作部６０ａへの操作に応じて調光を指示する制御信号をマスター操作装置１２に出力する。
【００７５】
また、上記実施の形態に係る操作装置（例えば、操作装置１０及び操作装置１０ａ）が適用される照明システムは、図１に示される照明システム１００に限定されるものではない。例えば、マスター操作装置１２の機能が、操作装置１０及び照明器具１１に割り振られることにより、マスター操作装置１２が設けられない照明システムが想定される。上記実施の形態に係る操作装置は、このような照明システムに適用されてもよく、この場合、操作装置１０と照明器具１１とは配線によって直接接続される。
【００７６】
また、上記実施の形態に係る操作装置は、照明器具１１の制御に用いられたが、エアコンなど、その他の電気機器の制御に用いられてもよい。
【００７７】
以上のように、本発明における技術の例示として、実施の形態を説明した。そのために、添付図面及び詳細な説明を提供した。
【００７８】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７９】
また、上述の実施の形態は、本発明における技術を例示するためのものであるから、特許請求の範囲またはその均等の範囲において種々の変更、置き換え、付加、省略などを行うことができる。
【符号の説明】
【００８０】
１０、１０ａ  操作装置
１１  照明器具
１３  携帯端末（外部機器）
１８  壁（構造物）
１８ａ  表面
１９  スイッチボックス
４０  取付板
５０  本体部
６０、６０ａ  操作部
７０  無線モジュール（アンテナ）
８０  制御モジュール（制御部）
【図１】
2016134272.tif 000003
【図２】
2016134272.tif 000004
【図３】
2016134272.tif 000005
【図４】
2016134272.tif 000006
【図５】
2016134272.tif 000007
【図６】
2016134272.tif 000008
【図７】
2016134272.tif 000009